(57)【要約】【課題】キーに対する情報をスイッチパネルに書込むための構成を、リサイクル性に優れたものとすること。【解決手段】ワンタッチキー８２に対応づけて通信先電話番号が登録される。ワンタッチキー８２周りに配設される主パネル本体部８４及び可動パネル本体部８６のうちワンタッチキー８２に対応する領域に、印刷により印刷ラベル部９０が形成される。印刷ラベル部９０は、ワンタッチキー８２に対応する相手先名称等を書込めるようになっている。【選択図】図２
2007324673.tif 000002
【特許請求の範囲】
【請求項１】
少なくとも一つのキー周りに配設されるパネル本体部と、
前記パネル本体部の主面のうち前記キーに対応する領域に印刷により形成された印刷ラベル部と、
を備えたことを特徴とするスイッチパネル。
【請求項２】
請求項１記載のスイッチパネルであって、
前記印刷ラベル部は、白色塗料で印刷することにより形成されていることを特徴とするスイッチパネル。
【請求項３】
請求項１又は請求項２記載のスイッチパネルであって、
前記パネル本体部のうち少なくとも前記印刷ラベル部が形成される領域が粗面に形成されていることを特徴とするスイッチパネル。
【発明の詳細な説明】
【技術分野】
【０００１】
この発明は、画像形成装置等の諸電子機器に適用されるスイッチパネルに関する。
【背景技術】
【０００２】
通常、ファクシミリ装置には、複数のワンタッチキーが設けられている。各ワンタッチキーには、通信先情報（通信先ＦＡＸ番号等）が関連づけて登録される。そして、ワンタッチキーを操作することで、所望の通信先にワンタッチでＦＡＸ送信を行えるようになっている。
【０００３】
このようなワンタッチキーに対する登録は、ファクシミリ装置の利用者先で行われるが通常である。このため、利用者先にて、ワンタッチキーの近傍に宛名等の登録情報を書込んだラベルが貼付けられることになる。
【０００４】
利用者先にて上記のようなラベルを設ける技術としては、各ワンタッチキーへの登録情報を紙製のラベルに印字出力し、これをワンタッチキーの近傍に貼着けるようにした技術がある。このような技術は、例えば特許文献１に開示されている。
【０００５】
【特許文献１】特開平５−２７６２８６号公報
【発明の開示】
【発明が解決しようとする課題】
【０００６】
しかしながら、ワンタッチキーの近傍に紙製のラベルを貼付ける構成では、リサイクルする際に異物混入の問題を生じる。また、剥離可能なラベルを用いたとしても、リサイクルする際に剥がして分別する必要があり、面倒である。
【０００７】
これに対して、登録情報を書込むためのラベルとして相溶性ラベルを用いる構成が考えられる。しかしながら、相溶性ラベルでは、その材質に規制があり、貼着け作業性が悪いという問題がある。
【０００８】
そこで、本発明は、キーに対する情報をスイッチパネルに書込むための構成を、リサイクル性に優れたものとすることを目的とする。
【課題を解決するための手段】
【０００９】
上記課題を解決するため、この発明は、少なくとも一つのキー周りに配設されるパネル本体部と、前記パネル本体部の主面のうち前記キーに対応する領域に印刷により形成された印刷ラベル部と、を備えたことを特徴とする。
【００１０】
この場合に、前記印刷ラベル部は、白色塗料で印刷することにより形成されていてもよい。
【００１１】
また、前記パネル本体部のうち少なくとも前記印刷ラベル部が形成される領域が粗面に形成されていてもよい。
【発明の効果】
【００１２】
この発明のスイッチパネルによると、パネル本体部の主面のうち前記キーに対応する領域に印刷により形成された印刷ラベル部を備えているため、その印刷ラベル部にキーに対する情報を書込むことができる。また、このような印刷ラベル部は、紙製ラベル等に比べて、リサイクル性に優れる。
【００１３】
また、前記印刷ラベル部は、白色塗料で印刷することにより形成されていると、情報書込み後の視認性に優れる。
【００１４】
さらに、前記パネル本体部のうち少なくとも前記印刷ラベル部が形成される領域が粗面に形成されていると、印刷ラベル部がはげ落ち難くなる。
【発明を実施するための最良の形態】
【００１５】
以下、本発明の実施形態に係るスイッチパネルについて説明する。本実施形態では、スイッチパネルをデジタル複合機のワンタッチキー用のスイッチパネルに適用した例で説明する。図１はデジタル複合機を示す斜視図である。
【００１６】
＜デジタル複合機の全体構成＞
まず、このデジタル複合機の全体構成について説明する。このデジタル複合機１０は、機能的には、大別して原稿読取部分と画像形成部分とを備えている。そして、これら各機能部分を適宜制御下で利用することにより、ＦＡＸ機能、コピー機能、スキャン機能、プリント機能などの諸機能を実現する構成となっている。
【００１７】
このデジタル複合機１０では、画像形成機能を担う記録部２０の上方に、画像読取機能を担う読取部３０が配設されている。
【００１８】
記録部２０は、画像形成、即ち、用紙に所定の印刷処理を施して記録紙を形成するように構成されている。より具体的には、記録部２０は、複数段の給紙カセット２２の上方に、記録装置としての印刷部２１と、記録紙排出トレイ２４が配設された構成となっている。そして、各給紙カセット２２のうちのいずれか一つに収容される用紙を印刷部２１へ給紙して印刷した後に、記録紙として記録紙排出トレイ２４へ排出する構成となっている。
【００１９】
読取部３０は、画像読取、即ち、原稿の情報を画像データとして読取るように構成されている。ここでは、読取部３０は、フラットベッド方式のスキャナとして原稿を読取ると共に、シートフィード方式のスキャナとして原稿を読取可能に構成されている。
【００２０】
すなわち、フラットベッド方式のスキャナとして原稿を読取る際には、図示省略のプラテンガラス上に原稿を載置した状態で、内部の読取装置を走査することで原稿を読取る。
【００２１】
また、シートフィード方式のスキャナとして原稿を読取る際には、原稿押えカバー５０の一側方に設けられた自動原稿搬送装置（ＡＤＦ（Auto Document Feeder））５２にて原稿を搬送しつつ、一定位置に配設された読取装置で原稿の読取りを行う構成となっている。
【００２２】
また、上記読取部３０の一側方には、操作パネル７０が設けられている。操作パネル７０には、本デジタル複合機１０に対する諸操作を行うための各種スイッチ７２及びタッチパネル７４が設けられている。また、操作パネル７０の一側部には、次に詳述するワンタッチキー装置８０が設けられている。
【００２３】
＜ワンタッチキー装置＞
ワンタッチキー装置８０についてより詳細に説明する。図２はワンタッチキー装置を示す平面図であり、図３は同ワンタッチキー装置の他の状態を示す平面図である。
【００２４】
このワンタッチキー装置８０は、複数のワンタッチキー８２と、主パネル本体部８４と、複数（ここでは２枚）の可動パネル本体部８６とを備えている。これらの主パネル本体部８４及び可動パネル本体部８６は、ワンタッチキー８２周りに配設されるパネル本体部である。
【００２５】
より具体的には、各ワンタッチキー８２は、プッシュ操作自在なスイッチであり、複数所定配列で設けられている。ここでは、各ワンタッチキー８２は、４行×４列の配列で設けられている。また、各ワンタッチキー８２の上下間には、後述する印刷ラベル部９０を設けることが可能な程度、即ち、情報を書込み可能な程度の間隔が設けられている。
【００２６】
主パネル本体部８４は、上記操作パネル７０に一体的に設けられた部材であり、略方形板状に形成されている。主パネル本体部８４のうち各ワンタッチキー８２に対応する各位置には、それぞれスイッチ孔８４ｈが形成されている。そして、各ワンタッチキー８２が該各スイッチ孔８４ｈを通ってプッシュ操作可能に露出している。
【００２７】
可動パネル本体部８６は、上記主パネル本体部８４を幅方向に２分割した形状及び大きさに対応する略方形板状に形成されている。可動パネル本体部８６には、各ワンタッチキー８２のうち幅方向の半分部分にある２行×４列のワンタッチキー８２に対応する各位置に、スイッチ孔８６ｈが形成されている。そして、上記主パネル本体部８４上を覆うように可動パネル本体部８６が配設された状態でも、各ワンタッチキー８２がスイッチ孔８６ｈを通ってプッシュ操作可能に露出するようになっている。
【００２８】
また、可動パネル本体部８６の一側部は、主パネル本体部８４の幅方向中央部に位置するヒンジ部８８を介して回転自在に支持されている（図２の矢符Ｐ参照）。そして、該ヒンジ部８８を中心にして可動パネル本体部８６を姿勢変更させることで、可動パネル本体部８６が主パネル本体部８４の左半分部分を覆う状態とその右半分部分を覆う状態とに切替えられるようになっている。換言すれば、各可動パネル本体部８６を冊子状にめくれるようになっている。
【００２９】
本実施形態では、２枚の可動パネル本体部８６を用いているので、次の３つのキースイッチ選択状態に切替えられる。第１の状態は、図２に示すように、主パネル本体部８４の左半分部分と一枚目の可動パネル本体部８６の一方主面とが外方に露出している状態である。この状態では、１６個のワンタッチキー８２に設定番号１〜１６が割当てられる。第２の状態は、図３に示すように、一枚目の可動パネル本体部８６の他方主面（前記一方主面の裏面）と、２枚目の可動パネル本体部８６の一方主面とが外方に露出している状態である。この状態では、１６個のワンタッチキー８２に設定番号１７〜３２が割当てられる。第３の状態は、２枚目の可動パネル本体部８６の他方主面（前記一方主面の裏面）と主パネル本体部８４の右半分部分とが露出している状態である。この状態では、１６個のワンタッチキー８２に設定番号３３〜４８が割当てられる。
【００３０】
なお、上記可動パネル本体部８６のめくり状態は、主パネル本体部８４に設けられたセンサ（例えば、マイクロスイッチ等の接触センサ）により検知される。そして、その検知結果に基づいて、図示省略の制御部において上記各状態の判別がなされるようになっている。
【００３１】
また、上記設定番号１〜１６、１７〜３２、３３〜４８には通信先情報（通信先ＦＡＸ番号等）が対応づけられた状態で登録されており、その登録情報は図示省略のメモリに格納されている。そして、上記のように判別されたキースイッチ選択状態及び各ワンタッチキー８２へのプッシュ操作に応じて、選択された送信先を判別し、適宜ＦＡＸ送信処理を実行するようになっている。
【００３２】
また、上記主パネル本体部８４の主面（外方に露出する側の面）及び各可動パネル本体部８６の一方主面及び他方主面（両面）のうち、前記各ワンタッチキー８２に対応する領域に印刷ラベル部９０が設けられている。ここでは、上記主パネル本体部８４の主面のうち各ワンタッチキー８２に隣接する領域、より具体的には、各ワンタッチキー８２の上方に隣接する略方形領域に、それぞれ印刷ラベル部９０が設けられている。また、各可動パネル本体部８６の一方主面及び他方主面（両面）の同様の領域にも印刷ラベル部９０が設けられている。
【００３３】
また、上記主パネル本体部８４の主面及び各可動パネル本体部８６の一方主面及び他方主面のうち、上記印刷ラベル部９０が設けられる領域は、シボ加工等により粗面に形成されている。なお、上記主パネル本体部８４の主面及び各可動パネル本体部８６の一方主面及び他方主面の全体が粗面に形成されていてもよい。つまり、上記主パネル本体部８４の主面及び各可動パネル本体部８６の一方主面及び他方主面のうち、少なくとも上記印刷ラベル部９０が設けられる領域が粗面に形成されている。
【００３４】
各印刷ラベル部９０は、印刷により形成されている。より具体的には、上記略方形領域に、設定番号を示す部分を除いて、塗料をベタ塗りするように印刷することで、印刷ラベル部９０が形成されている。
【００３５】
このような印刷ラベル部９０は、白色塗料で印刷機を用いて印刷することにより形成されており、筆記具を用いて情報を書込み可能に構成されている。このような塗料として、例えば、十条ケミカル株式会社製の溶剤型インキである800シリーズPASインキを用いることができる。特に、このインキで皮膜を艶消仕上がりとすることにより、鉛筆や油性ペンでの書き込みに適したものとなる。また、例えば、十条ケミカル株式会社製の溶剤型インキである5600シリーズOPSインキ（白色インキ）は、スタンプが滲まない様な性質を持っているので、上記塗料として適している。
【００３６】
このように構成されたデジタル複合機では、例えば、利用者側にて、各ワンタッチキー８２或は設定番号１〜１６、１７〜３２、３３〜４８に対応づけて通信先情報（通信先ＦＡＸ番号等）を登録する際に、それらに対応する登録情報（例えば、宛先名称等）を、印刷ラベル部９０に書込むことができる（図２の設定番号９及び１０のワンタッチキー８２参照）。なお、書込みに用いる筆記具としては、印刷ラベル部９０の塗料の性質等に応じて、油性ペンや水性ペン、鉛筆等を用いることができる。
【００３７】
そして、上記デジタル複合機を処分する場合には、印刷により形成された印刷ラベル部９０をそのままにした状態でリサイクルすることができ、紙製のラベルのように剥がして分別する必要はない。このため、リサイクル性に優れる。
【００３８】
しかも、本デジタル複合機１０の製造段階で、主パネル本体部８４及び可動パネル本体部８６に印刷機で印刷することで、印刷ラベル部９０を形成することができるため、その形成も容易である。
【００３９】
また、相溶性ラベルを用いた構成では、貼着け対象となる部材の材質に応じて相溶性を考慮して材質を変える必要があったが、本実施形態では、塗料を主パネル本体部８４及び可動パネル本体部８６に印刷できれば十分であり、主パネル本体部８４及び可動パネル本体部８６の材質に対する汎用性にも優れる。
【００４０】
また、印刷ラベル部９０は、白色塗料で印刷することにより形成されているため、情報書込み後の視認性に優れる。
【００４１】
もっとも、印刷ラベル部９０は、必ずしも白色である必要はなく、水色やピンク、淡い黄色、ねずみ色等の淡色その他の色であってもよい。
【００４２】
また、主パネル本体部８４及び可動パネル本体部８６のうち少なくとも印刷ラベル部９０が形成される領域が粗面に形成されているため、印刷ラベル部９０がはげ落ち難い。
【００４３】
しかも、印刷ラベル部９０の厚みを、前記粗面形状が印刷ラベル部９０の表面に反映される程度にすれば、鉛筆による書込みが容易となり、また、印刷ラベル部９０に書込まれた情報が消え難くなるというメリットもある。
【００４４】
｛変形例｝
本実施形態では、画像読取装置をデジタル複合機に適用した例で説明したが、本発明の適用対象はデジタル複合機に制限されない。例えば、本発明は、ファクシミリや電話機等の諸電気機器に適用可能であり、特に、利用者にて登録され得るキーを持つ電気機器において、該キーの周りに配設されるパネル本体部に登録情報を書込む技術に適用し得る。
【図面の簡単な説明】
【００４５】
【図１】実施形態に係るデジタル複合機を示す斜視図である。
【図２】ワンタッチキー装置を示す平面図である。
【図３】ワンタッチキー装置の他の状態を示す平面図である。
【符号の説明】
【００４６】
１０  デジタル複合機
７０  操作パネル
８０  ワンタッチキー装置
８２  ワンタッチキー
８４  主パネル本体部
８６  可動パネル本体部
９０  印刷ラベル部
【図１】
2007324673.tif 000003
【図２】
2007324673.tif 000004
【図３】
2007324673.tif 000005